(57)【要約】【課題】映像メモリを介して天気予報番組の映像を提供する番組映像提供装置に係り、台風や地震など緊急の情報が番組放送中に生じた場合に、放送の残り時間に係る画面構成およびその画面の放映に係る配分時間を自動的に再編することを課題とする。【解決手段】天気予報番組の放送中に緊急情報が生じた場合に、本来の放送予定の画面と緊急画面を、未放映の画面、放映中の画面、あるいは放映完了の画面に区別し、放映中の画面の最短時間を見直し、放映完了の画面の配分時間と、放映中の画面の最短時間と、未放映の画面の最短時間を合計した最短合計時間を求め、これと番組の放送時間の比較することにより採用画面を判定し、余剰時間を分配する。【選択図】図３１
2008022290.tif 000002
【特許請求の範囲】
【請求項１】
気象情報配信サーバから緊急情報を含み得る気象情報を受信し、映像メモリを介して天
気予報番組の映像を提供する番組映像提供装置であって、以下の要素を有することを特徴
とする番組映像提供装置
（１）気象情報を記憶する気象情報データベース
（２）気象情報を受信し、受信した気象情報を気象情報データベースに記憶させ、受信し
た気象情報に新たな緊急情報が含まれるかを判定し、新たな緊急情報が含まれる場合に当
該緊急情報の種別を通知する気象情報収集部
（３）緊急情報を知らせる緊急画面について、当該画面の放映に適した標準時間、当該画
面を短縮して放映する場合の条件となる最短時間を記憶する緊急画面テーブル
（４）緊急情報が発生していない場合に天気予報番組を構成する標準画面について、前記
標準時間、前記最短時間を記憶する標準番組構成情報記憶部
（５）放送する天気予報番組を構成する画面について、順序付けて放映する配分時間を記
憶するための放送用番組構成情報記憶部
（６）放送前の気象情報に緊急情報が含まれていない場合に、標準番組構成情報記憶部に
含まれる標準画面について、放映の順序を付けて標準時間を配分時間として放送用番組構
成情報記憶部に記憶させる放送前番組編成部
（７）放送用番組構成情報記憶部で対象とする画面について、放映の順序に従って各画面
に関する気象情報を気象情報データベースから取得し、当該気象情報を所定の表示形式で
放映メモリに展開する画面展開処理を行ない、前の画面を画面展開処理してから当該画面
の配分時間経過後に、次の画面の画面展開処理に移行するように制御する番組映像生成部
（８）天気予報番組の放送中に、気象情報収集部から緊急情報の種別を通知された場合に
、放送用番組構成情報記憶部で対象とする画面と当該緊急情報を知らせる緊急画面を、画
面展開されていない未放映の画面、すでに画面展開され配分時間経過前の放映中の画面、
あるいは画面展開した後配分時間経過した放映完了の画面に区別し、
現在時刻に所定の余裕時間を加えて再編時刻を算出し、再編時刻が放映中の画面の最短
時間経過以降に相当する場合には、当該画面の放映開始から再編時刻に至るまでの時間を
放映中の画面の最短時間として扱い、
放映完了の画面の配分時間と、放映中の画面の最短時間と、未放映の画面の最短時間を
合計して、最短合計時間を算出し、最短合計時間が番組の放送時間以下の場合に、これら
のすべての画面を採用すると判断し、
最短合計時間が番組の放送時間より大きい場合には、未放映の標準画面のいずれかを省
略画面に選択し、省略画面を除く最短合計時間を改めて算出し、最短合計時間が番組の放
送時間以下となるときに、その省略画面を除く画面を採用すると判断し、
番組の放送時間と最短合計時間の差である剰余時間を算出し、剰余時間を前記採用する
と判断した画面のうち放映中の画面と未放映の画面に分配し、分配された時間と最短時刻
の合計を放映中と未放映の各画面の新たな配分時間とし、採用すると判断した画面につい
て、放映の順序を付けて配分時間を放送用番組構成情報記憶部に記憶させる放送中番組再
編部。
【請求項２】
気象情報を記憶する気象情報データベースと、緊急情報を知らせる緊急画面について、
当該画面の放映に適した標準時間、当該画面を短縮して放映する場合の条件となる最短時
間を記憶する緊急画面テーブルと、緊急情報が発生していない場合に天気予報番組を構成
する標準画面について、前記標準時間、前記最短時間を記憶する標準番組構成情報記憶部
と、放送する天気予報番組を構成する画面について、順序付けて放映する配分時間を記憶
するための放送用番組構成情報記憶部を有し、気象情報配信サーバから緊急情報を含み得
る気象情報を受信し、映像メモリを介して天気予報番組の映像を提供する番組映像提供装
置となるコンピュータに、以下の手順を実行させることを特徴とするプログラム
（１）気象情報を受信し、受信した気象情報を気象情報データベースに記憶させ、受信し
た気象情報に新たな緊急情報が含まれるかを判定し、新たな緊急情報が含まれる場合に当
該緊急情報の種別を通知する気象情報収集手順
（２）放送前の気象情報に緊急情報が含まれていない場合に、標準番組構成情報記憶部に
含まれる標準画面について、放映の順序を付けて標準時間を配分時間として放送用番組構
成情報記憶部に記憶させる放送前番組編成手順
（３）放送用番組構成情報記憶部で対象とする画面について、放映の順序に従って各画面
に関する気象情報を気象情報データベースから取得し、当該気象情報を所定の表示形式で
放映メモリに展開する画面展開処理を行ない、前の画面を画面展開処理してから当該画面
の配分時間経過後に、次の画面の画面展開処理に移行するように制御する番組映像生成手
順
（４）天気予報番組の放送中に緊急情報の種別を通知された場合に、放送用番組構成情報
記憶部で対象とする画面と当該緊急情報を知らせる緊急画面を、画面展開されていない未
放映の画面、すでに画面展開され配分時間経過前の放映中の画面、あるいは画面展開した
後配分時間経過した放映完了の画面に区別し、
現在時刻に所定の余裕時間を加えて再編時刻を算出し、再編時刻が放映中の画面の最短
時間経過以降に相当する場合には、当該画面の放映開始から再編時刻に至るまでの時間を
放映中の画面の最短時間として扱い、
放映完了の画面の配分時間と、放映中の画面の最短時間と、未放映の画面の最短時間を
合計して、最短合計時間を算出し、最短合計時間が番組の放送時間以下の場合に、これら
のすべての画面を採用すると判断し、
最短合計時間が番組の放送時間より大きい場合には、未放映の標準画面のいずれかを省
略画面に選択し、省略画面を除く最短合計時間を改めて算出し、最短合計時間が番組の放
送時間以下となるときに、その省略画面を除く画面を採用すると判断し、
番組の放送時間と最短合計時間の差である剰余時間を算出し、剰余時間を前記採用する
と判断した画面のうち放映中の画面と未放映の画面に分配し、分配された時間と最短時刻
の合計を放映中と未放映の各画面の新たな配分時間とし、採用すると判断した画面につい
て、放映の順序を付けて配分時間を放送用番組構成情報記憶部に記憶させる放送中番組再
編手順。
【発明の詳細な説明】
【技術分野】
【０００１】
本発明は、映像メモリを介して天気予報番組の映像を提供する番組映像提供装置に係り
、台風や地震など緊急の情報が番組放送中に生じた場合に、放送の残り時間に係る画面構
成およびその画面の放映に係る配分時間を自動的に再編する技術に関する。
【背景技術】
【０００２】
従来の発明では、台風や地震など緊急の情報が有る場合には、編成作業として、これら
の緊急情報の画面と実況天気図など通常の情報の画面を制御する為のタイムテーブルを作
成し、そのタイムテーブルに従って画面を展開する操作を行ない、天気予報番組の映像を
生成していた。
【０００３】
しかし、従来技術では番組放送前の準備が必要であり、番組の放送中に生じた緊急情報
の画面を組み入れることは困難である。その為、緊急情報をテロップ等により予定通りの
画面に重複表示させる以外の方法は無かった。
【特許文献１】特開２００３−０３２６４９号公報
【特許文献２】特開２００５−２０４１５９号公報
【発明の開示】
【発明が解決しようとする課題】
【０００４】
本発明は、映像メモリを介して天気予報番組の映像を提供する番組映像提供装置に係り
、台風や地震など緊急の情報が番組放送中に生じた場合に、放送の残り時間に係る画面構
成およびその画面の放映に係る配分時間を自動的に再編することを課題とする。
【課題を解決するための手段】
【０００５】
本発明に係る番組映像提供装置は、
気象情報配信サーバから緊急情報を含み得る気象情報を受信し、映像メモリを介して天
気予報番組の映像を提供する番組映像提供装置であって、以下の要素を有することを特徴
とする
（１）気象情報を記憶する気象情報データベース
（２）気象情報を受信し、受信した気象情報を気象情報データベースに記憶させ、受信し
た気象情報に新たな緊急情報が含まれるかを判定し、新たな緊急情報が含まれる場合に当
該緊急情報の種別を通知する気象情報収集部
（３）緊急情報を知らせる緊急画面について、当該画面の放映に適した標準時間、当該画
面を短縮して放映する場合の条件となる最短時間を記憶する緊急画面テーブル
（４）緊急情報が発生していない場合に天気予報番組を構成する標準画面について、前記
標準時間、前記最短時間を記憶する標準番組構成情報記憶部
（５）放送する天気予報番組を構成する画面について、順序付けて放映する配分時間を記
憶するための放送用番組構成情報記憶部
（６）放送前の気象情報に緊急情報が含まれていない場合に、標準番組構成情報記憶部に
含まれる標準画面について、放映の順序を付けて標準時間を配分時間として放送用番組構
成情報記憶部に記憶させる放送前番組編成部
（７）放送用番組構成情報記憶部で対象とする画面について、放映の順序に従って各画面
に関する気象情報を気象情報データベースから取得し、当該気象情報を所定の表示形式で
放映メモリに展開する画面展開処理を行ない、前の画面を画面展開処理してから当該画面
の配分時間経過後に、次の画面の画面展開処理に移行するように制御する番組映像生成部
（８）天気予報番組の放送中に、気象情報収集部から緊急情報の種別を通知された場合に
、放送用番組構成情報記憶部で対象とする画面と当該緊急情報を知らせる緊急画面を、画
面展開されていない未放映の画面、すでに画面展開され配分時間経過前の放映中の画面、
あるいは画面展開した後配分時間経過した放映完了の画面に区別し、
現在時刻に所定の余裕時間を加えて再編時刻を算出し、再編時刻が放映中の画面の最短
時間経過以降に相当する場合には、当該画面の放映開始から再編時刻に至るまでの時間を
放映中の画面の最短時間として扱い、
放映完了の画面の配分時間と、放映中の画面の最短時間と、未放映の画面の最短時間を
合計して、最短合計時間を算出し、最短合計時間が番組の放送時間以下の場合に、これら
のすべての画面を採用すると判断し、
最短合計時間が番組の放送時間より大きい場合には、未放映の標準画面のいずれかを省
略画面に選択し、省略画面を除く最短合計時間を改めて算出し、最短合計時間が番組の放
送時間以下となるときに、その省略画面を除く画面を採用すると判断し、
番組の放送時間と最短合計時間の差である剰余時間を算出し、剰余時間を前記採用する
と判断した画面のうち放映中の画面と未放映の画面に分配し、分配された時間と最短時刻
の合計を放映中と未放映の各画面の新たな配分時間とし、採用すると判断した画面につい
て、放映の順序を付けて配分時間を放送用番組構成情報記憶部に記憶させる放送中番組再
編部。
【０００６】
本発明に係るプログラムは、
気象情報を記憶する気象情報データベースと、緊急情報を知らせる緊急画面について、
当該画面の放映に適した標準時間、当該画面を短縮して放映する場合の条件となる最短時
間を記憶する緊急画面テーブルと、緊急情報が発生していない場合に天気予報番組を構成
する標準画面について、前記標準時間、前記最短時間を記憶する標準番組構成情報記憶部
と、放送する天気予報番組を構成する画面について、順序付けて放映する配分時間を記憶
するための放送用番組構成情報記憶部を有し、気象情報配信サーバから緊急情報を含み得
る気象情報を受信し、映像メモリを介して天気予報番組の映像を提供する番組映像提供装
置となるコンピュータに、以下の手順を実行させることを特徴とする
（１）気象情報を受信し、受信した気象情報を気象情報データベースに記憶させ、受信し
た気象情報に新たな緊急情報が含まれるかを判定し、新たな緊急情報が含まれる場合に当
該緊急情報の種別を通知する気象情報収集手順
（２）放送前の気象情報に緊急情報が含まれていない場合に、標準番組構成情報記憶部に
含まれる標準画面について、放映の順序を付けて標準時間を配分時間として放送用番組構
成情報記憶部に記憶させる放送前番組編成手順
（３）放送用番組構成情報記憶部で対象とする画面について、放映の順序に従って各画面
に関する気象情報を気象情報データベースから取得し、当該気象情報を所定の表示形式で
放映メモリに展開する画面展開処理を行ない、前の画面を画面展開処理してから当該画面
の配分時間経過後に、次の画面の画面展開処理に移行するように制御する番組映像生成手
順
（４）天気予報番組の放送中に緊急情報の種別を通知された場合に、放送用番組構成情報
記憶部で対象とする画面と当該緊急情報を知らせる緊急画面を、画面展開されていない未
放映の画面、すでに画面展開され配分時間経過前の放映中の画面、あるいは画面展開した
後配分時間経過した放映完了の画面に区別し、
現在時刻に所定の余裕時間を加えて再編時刻を算出し、再編時刻が放映中の画面の最短
時間経過以降に相当する場合には、当該画面の放映開始から再編時刻に至るまでの時間を
放映中の画面の最短時間として扱い、
放映完了の画面の配分時間と、放映中の画面の最短時間と、未放映の画面の最短時間を
合計して、最短合計時間を算出し、最短合計時間が番組の放送時間以下の場合に、これら
のすべての画面を採用すると判断し、
最短合計時間が番組の放送時間より大きい場合には、未放映の標準画面のいずれかを省
略画面に選択し、省略画面を除く最短合計時間を改めて算出し、最短合計時間が番組の放
送時間以下となるときに、その省略画面を除く画面を採用すると判断し、
番組の放送時間と最短合計時間の差である剰余時間を算出し、剰余時間を前記採用する
と判断した画面のうち放映中の画面と未放映の画面に分配し、分配された時間と最短時刻
の合計を放映中と未放映の各画面の新たな配分時間とし、採用すると判断した画面につい
て、放映の順序を付けて配分時間を放送用番組構成情報記憶部に記憶させる放送中番組再
編手順。
【発明の効果】
【０００７】
本発明によれば、天気予報番組の放送中に緊急情報が生じた場合に、本来の放送予定の
画面と緊急画面を、未放映の画面、放映中の画面、あるいは放映完了の画面に区別し、放
映中の画面の最短時間を見直し、放映完了の画面の配分時間と、放映中の画面の最短時間
と、未放映の画面の最短時間を合計した最短合計時間を求め、これと番組の放送時間の比
較することにより採用画面を判定するので、緊急画面を含めた最適な画面再編を行なうこ
とができる。
【発明を実施するための最良の形態】
【０００８】
実施の形態１．
本発明は、映像メモリを介して天気予報番組の映像を提供する番組映像提供装置に関す
る。図１は、放送局施設の構成を示す図である。番組映像提供装置１０１は、通信網を介
して気象情報配信サーバ１０２と接続している。そして、気象情報配信サーバ１０２から
気象情報を取得するように構成されている。また、気象情報に基づいて天気予報番組に係
る番組映像を生成してミキサー装置１０３に提供する。映像メモリを番組映像提供装置１
０１の内部に設け、ミキサー装置１０３から映像メモリ上の画像データを読み取る構成や
、映像メモリを番組映像提供装置１０１の外部あるいはミキサー装置１０３の内部に設け
、番組映像提供装置１０１から当該映像メモリに画像データを書き込み、ミキサー装置１
０３の処理部で当該映像メモリ上の画像データを読み取る構成などが考えられる。
【０００９】
ミキサー装置１０３は、音声入力装置１０４から入力された番組の音声を入力し、番組
映像と番組音声を合成し、放送映像と放送音声として放送システム１０５に転送する。放
送システム１０５は、放送映像と放送音声を放送電波に変換して、送出する。
【００１０】
図２は、番組映像提供装置の構成を示す図である。番組映像提供装置１０１は、気象情
報収集部２０１、気象情報データベース２０２、番組スケジュール実行部２０３、及び番
組スケジュールマスタ記憶部２０４を有している。気象情報収集部２０１は、気象情報配
信サーバ１０２から受信した気象情報を気象情報データベース２０２に蓄積させ、番組ス
ケジュール実行部２０３は、番組スケジュールマスタ記憶部２０４に予め記憶されている
番組スケジュールに従って、気象情報を伝達する天気予報番組の番組映像を生成して、ミ
キサー装置１０３に転送する。
【００１１】
図３は、気象情報収集処理フローを示す図である。気象情報収集部２０１は、気象情報
配信サーバ１０２から気象情報を受信する待ち状態で（Ｓ３０１）、気象情報を受信する
と（Ｓ３０２）、受信した気象情報を気象情報データベースに登録する（Ｓ３０３）。そ
のとき、警報・注意報、地震情報、津波情報、台風情報、あるいは雷情報などの緊急情報
が新たに発生したかを判断し（Ｓ３０４）、発生した場合には、その緊急情報の種別を後
述する放送中番組再編部６０５に通知する（Ｓ３０５）。
【００１２】
気象情報データベースは、緊急情報を含み得る気象情報を記憶するように構成されてい
る。図４は、気象情報データベースの構成を示す図である。気象情報は、図示した各テー
ブルにより構成されており、受信の都度最新の情報に更新されるように構成されている。
テーブルは、常時データが存在する常設テーブル群と、状況に応じて発生する緊急情報を
記憶する緊急情報テーブル群とに大別される。
【００１３】
常設テーブル群には、例えば、全国天気予報テーブル４０１、全国予想気温テーブル４
０２、地方天気予報テーブル４０３、地方予想気温テーブル４０４、及び週間天気予報テ
ーブル４０５が含まれる。全国天気予報テーブル４０１は、予想の日付と時刻、全国の地
名に対応する予想天気の情報を有し、全国予想気温テーブル４０２は、予想の日付と時刻
、全国の地名に対応する予想気温の情報を有し、地方天気予報テーブル４０３は、予想の
日付と時刻、地方の地名に対応する予想天気の情報を有し、地方予想気温テーブル４０４
は、地方の地名に対応する予想気温の情報を有し、週間天気予報テーブル４０５は、週間
の各日付に対応する予想天気の情報を有している。
【００１４】
緊急情報テーブル群には、例えば、県内警報・注意報テーブル４５１、地震情報テーブ
ル４５２、津波情報テーブル４５３、台風情報テーブル４５４、及び雷情報テーブル４５
５が含まれる。県内警報・注意報テーブル４５１は、更新日時・時刻、県内地域（警報・
注意報の発令単位の地域）別に、発令中の警報・注意報の情報を有し、地震情報テーブル
４５２は、現在時刻から遡って所定時間範囲内に地震が発生している場合に、地震発生時
刻、震度観測地名と当該観測地における震度の情報を有し、津波情報テーブル４５３は、
津波発生予想地域、予想時刻、津波規模、発生確率等の情報を有し、台風情報テーブル４
５４は、観測日時・時刻、台風の位置、中心気圧、風速、予想進路等の情報を有し、雷情
報テーブル４５５は、雷発生予想地域、予想時刻、発生確率等の情報を有している。
【００１５】
図５は、番組スケジュールマスタの例を示す図である。天気予報の番組毎にレコードを
設け、番組ＩＤ５０１、番組名５０２、放送準備開始時刻５０３、放送開始時刻５０４、
放送時間５０５の項目を対応付けて記憶するように構成されている。放送準備開始時刻５
０３は、当該天気予報番組の放送に係る準備処理を開始する時刻である。放送開始時刻５
０４は、当該天気予報番組の放送を開始する時刻である。放送時間５０５は、当該天気予
報番組が放送される時間長である。
【００１６】
図６は、番組スケジュール実行部の構成を示す図である。番組スケジュール実行部２０
３は、番組放送準備開始判定部６０１、放送前番組編成部６０２、標準番組構成情報記憶
部６０３、放送用番組構成情報記憶部６０４、放送中番組再編部６０５、緊急画面テーブ
ル６０６、番組映像生成部６０７、画面定義テーブル６０８、及び表示要素データベース
６０９を有している。
【００１７】
標準番組構成情報記憶部６０３は、天気予報番組毎に、緊急情報を知らせる緊急画面を
挿入しない場合に当該番組で放映する標準画面の制御情報群を記憶している。詳しくは、
図８を用いて後述する。標準画面は、天気予報番組を構成する緊急画面以外の画面のこと
である。
【００１８】
緊急画面テーブル６０６は、緊急情報テーブル群にデータが存在する場合に、番組に加
えられる緊急画面の制御情報群を記憶している。詳しくは、図２１を用いて後述する。
【００１９】
放送用番組構成情報記憶部６０４は、放送前番組編成部６０２により編成された結果と
して、実際に放送される番組に含まれる放送用画面の制御情報を記憶するように構成され
ている。詳しくは、図９を用いて後述する。
【００２０】
画面定義テーブル６０８は、画面毎に、画面の表示に係る構成を定義する情報を記憶し
ている。詳しくは、図１２を用いて後述する。
【００２１】
表示要素データベース６０９は、画面を構成する表示要素の画像データを記憶している
。詳しくは、図１３から図１６を用いて後述する。
【００２２】
図７は、番組スケジュール実行処理フローを示す図である。番組放送準備開始判定部６
０１による番組放送準備開始待ち（Ｓ７０１）の処理を行なう。この処理では、番組スケ
ジュールマスタ記憶部２０４に記憶されている番組ＩＤと放送準備開始時刻を読み取り、
時計部から現在時刻を取得し、現在時刻が放送準備開始時刻に至るまで待つ。番組ＩＤは
、番組編成部５２２に転送される。この例によらず、放送準備開始時刻に代えて放送開始
時刻を読み取り、放送開始時刻から所定の時間を差し引いて、その差を放送準備開始時刻
として用いてもよい。
【００２３】
放送準備開始時刻に至ったと判定されると、放送前番組編成部６０２による放送前番組
編成処理（Ｓ７０２）を行なう。この処理では、標準番組構成情報記憶部６０３から標準
画面の制御情報群を読み出し、標準番組構成情報記憶部６０３に放送用画面の制御情報と
して記憶させる。緊急情報が無い状態の場合には、標準画面をすべて放送用画面として採
用し、それらの画面ＩＤと画面名を複製（コピー）し、標準時間を配分時間に記憶させ、
放映状態をすべて「未放映」とする。
【００２４】
図８は、標準番組構成情報記憶部の例を示す図である。ヘッダに番組ＩＤ８０１及び番
組の放送時間８０２の項目を有し、番組を構成する標準画面毎にレコードを設け、画面Ｉ
Ｄ８０３、画面名８０４、表示順位８０５、標準時間８０６、最短時間８０７、画面採用
優先順位８０８、及び時間配分優先順位８０９の項目を対応付けて記憶するように構成さ
れている。標準画面は、緊急画面を挿入しない場合に当該番組で放映する画面である。画
面ＩＤは、画面を識別する情報である。表示順位８０５は、番組内で表示する順位、つま
り画面展開処理（図１１を用いて後述する。）される順番の前後関係を示す順位であり、
この例では小さい値から順に表示（つまり、画面展開処理）するように制御する。標準時
間８０６は、当該画面を放映するのに適した時間である。平常時における通常の視聴者の
注意力に従って、充分に当該画面の内容を伝達できる時間を設定するのが望ましい。最短
時間８０７は、当該画面を放映する際の最短の時間（当該画面を短縮して放映する場合の
条件）である。緊急時における高い注意力によって、あるいは興味を持って積極的に視聴
する場合の注意力によって、充分に当該画面の内容を伝達できる時間を設定するのが望ま
しい。画面採用優先順位８０８は、当該画面を番組に含める判定（採用の判定）をする際
の採用されやすさを示す順位である。この例では値が小さい方が優先的に採用されるよう
に制御する。採用とは、当該番組の放送に当該画面の放映を含めることである。時間配分
優先順位８０９は、採用された画面のうち、当該画面に対する時間の配分されやすさを示
す順位である。この例では値が小さい方が優先的に残り時間を分配されるように制御する
。
【００２５】
図９は、放送用番組構成情報記憶部の例を示す図である。放送用番組を構成する画面毎
にレコードを設け、画面ＩＤ９０１、画面名９０２、配分時間９０３、放映状態９０４の
項目を対応付けて記憶するように構成されている。放映状態としては、画面展開前の「未
放映」と、画面が展開され、その状態が維持されている「放映中」、と画面の展開状態が
終了した「放映完了」のステータスを管理する。
【００２６】
続いて、放送中番組再編部６０５を起動させる（Ｓ７０３）。放送中番組再編部６０５
は、別タスクとして番組映像生成部と並列に処理を行なう。放送中番組再編部６０５は、
番組放送中に緊急情報が発生した場合に、放送用番組構成情報記憶部９０４の内容を再編
するように動作する。詳しくは、図１８〜図３７を用いて後述する。
【００２７】
次に、番組放送開始判定部（図示せず）による番組放送開始待ち（Ｓ７０４）の処理を
行なう。この処理では、番組スケジュールマスタ記憶部２０４に記憶されている放送開始
時刻を読み取り、時計部から現在時刻を取得し、現在時刻が放送開始時刻に至るまで待つ
。
【００２８】
そして、放送開始時刻に至ったと判定されると、番組映像生成部６０７による番組映像
生成処理（Ｓ７０５）を行なう。この処理では、放送時間中に放送用番組構成情報記憶部
９０４の内容に従って画面展開処理を行なう。詳しくは、図１０〜図１７を用いて詳述す
る。
【００２９】
番組映像生成が終わると、放送中番組再編部を中止させ（Ｓ７０６）、次の番組の処理
へと移行する。
【００３０】
ここで、番組映像生成処理（Ｓ７０５）について詳述する。図１０は、番組映像生成処
理フローを示す図である。放送用番組構成情報記憶部６０４に含まれる画面制御情報のう
ち放映状態が「未放映」の各画面について、当該ルーチンを終了すると判断するまで、以
下の処理を繰り返す（Ｓ１００１）。まず、当該画面の放映開始時刻を算出する（Ｓ１０
０２）。番組放送開始判定部（図示せず）で、番組スケジュール記憶部２０４から読み込
んだ放送開始時刻、あるいは直接番組スケジュール記憶部２０４から番組ＩＤに対応する
放送開始時刻を読み込み、放送開始時刻に先頭の画面から当該画面の前の画面までの配分
時間を放送開始時刻に加えることにより、放映開始時刻を得る。次に、現在時刻を時計部
より取得し（Ｓ１００３）、放映開始時刻と比較する（Ｓ１００４）。現在時刻が放映開
始時刻に至った場合には、画面展開処理（Ｓ１００５）を行なう。そして、画面展開処理
後に、当該画面の放映状態を「放映中」に変更し（Ｓ１００６）、更に他に放映状態が「
放映中」の画面がある場合には（Ｓ１００７）、その「放映中」の画面の放映状態を「放
映完了」に変更する（Ｓ１００８）。この処理を「未放映」の画面がある限り繰り返し、
最後に番組の放送終了時刻に至った時点で番組映像生成処理を終える（Ｓ１００９）。放
送終了時刻は、放送開示時刻に番組の放送時間を加えることにより算出する。
【００３１】
次に、画面展開処理（Ｓ１００５）について説明する。図１１は、画面展開処理フロー
を示す図である。まず、画面ＩＤに対応する画面定義情報を画面定義テーブルから取得す
る（Ｓ１１０１）。
【００３２】
図１２は、画面定義テーブルの例を示す図である。ヘッダに画面ＩＤ１２０１、下絵Ｉ
Ｄ１２０２、表示要素数１２０３の項目を有し、表示要素毎にレコードを設け、表示パラ
メータ格納位置１２０４、表示要素種別１２０５、配置座標１２０６、及びアニメ処理方
式１２０７の項目を対応付けて記憶するように構成されている。
【００３３】
そして、下絵ＩＤに対応する下絵画像データを表示要素データベース６０９から取得し
て、映像メモリに展開する（Ｓ１１０２）。
【００３４】
表示要素データベース６０９に含まれる下絵画像データ管理テーブルについて説明する
。図１３は、下絵画像データ管理テーブルの例を示す図である。下絵毎にレコードを設け
、下絵ＩＤ１３０１、下絵画像データファイル名１３０２の項目を対応付けて記憶するよ
うに構成されている。下絵画像データファイル名１３０２に従って表示要素データベース
６０９に含まれる下絵画像データファイルにアクセスすることにより、下絵画像データを
取得することが出来るように構成されている。図１４は、下絵画像の例を示す図である。
【００３５】
次に、表示要素数分、以下の処理を繰り返す（Ｓ１１０３）。まず、表示パラメータ格
納位置に従って、気象情報データベース２０２から表示パラメータを取得する（Ｓ１１０
４）。図１２の１２５１の表示パラメータ格納位置１２０４では、気象情報データベース
２０２に含まれる全国天気予報テーブル４０１の地名が釧路であるレコードの天気の項目
が、表示パラメータであることを示している。
【００３６】
図１５は、全国天気予報テーブルの例を示す図である。地名毎にレコードを設け、地名
１５０１、天気１５０２の項目を対応付けて記憶するように構成されている。
【００３７】
次に、表示要素種別に従って、表示要素別テーブルを特定する（Ｓ１１０５）。図１２
の１２５１の表示要素種別１２０５では、天気マークが表示要素であることを示している
ので、表示要素別のテーブルとして天気マーク画像データ管理テーブルを特定する。
【００３８】
図１６は、天気マーク画像データ管理テーブルの例を示す図である。天気毎にレコード
を設け、天気１６０１、天気マーク画像データファイル名１６０２の項目を対応付けて記
憶するように構成されている。天気マーク画像データファイル名１６０２に従って表示要
素データベース６０９に含まれる天気マーク画像データファイルにアクセスすることによ
り、天気マーク画像データを取得することが出来るように構成されている。
【００３９】
そして、表示要素別テーブルから、表示パラメータに対応する表示画像データを取得し
て（Ｓ１１０６）、表示画像データを、配置座標とアニメ処理方式に従って、映像メモリ
に展開する（Ｓ１１０７）。配置座標は、下絵イメージの上にマークなどの当該表示画像
を配置する位置を示す座標である。アニメ処理方式は、スライドインや点滅等のアニメ動
作を指定する情報である。すべての表示要素について処理した時点で終了する（Ｓ１１０
８）。図１７は、表示画像の展開後の画像例を示す図である。
【００４０】
このようにして、放送用番組構成情報記憶部６０４に記憶されている放送用画面制御情
報に従って、各画面の表示情報が展開されて、所定の配分時間ずつ放映される。
【００４１】
続いて、放送中番組再編部６０５の動作について説明する。このタスクは、緊急情報が
発生した場合に画面構成を再編する。図１８は、放送中番組再編処理フローを示す図であ
る。まず、緊急情報種別の受信を待つ（Ｓ１８０１）。緊急情報種別は、上述の通り気象
情報収集部２０１が緊急情報を新たに収集した場合に、通知される。緊急情報種別を受信
すると、番組の再編としてまず、採用画面判定処理（Ｓ１８０２）を行なう。この処理で
は、その後の番組構成として採用する画面を決定する。図１９で詳述する。次に、時間配
分処理（Ｓ１８０３）を行なう。この処理では、採用した画面に対して残り時間を配分す
る処理を行なう。そして、再編した内容に放送用番組構成情報を変更する放送用番組構成
情報更新処理（Ｓ１８０４）を行なう。図３２で詳述する。
【００４２】
採用画面判定処理（Ｓ１８０２）について詳述する。図１９は、採用画面判定処理フロ
ーを示す図である。まず、放送中番組再編部６０５内部に再編用テーブルを生成する再編
用テーブル生成処理（Ｓ１９０１）を行なう。
【００４３】
図２０は、再編用テーブル生成処理フローを示す図である。放送用番組構成情報記憶部
６０４からすべての放送用画面制御情報（画面ＩＤ、画面名、配分時間、放送状態）を複
製する（Ｓ２００１）。そして、標準番組構成情報記憶６０３から、複製した各画面ＩＤ
に対応する標準画面制御情報（表示順位、標準時間、最短時間、画面採用優先順位、時間
配分優先順位）を複製する（Ｓ２００２）。そして、緊急情報種別に対応する緊急画面制
御情報（画面ＩＤ、画面名、表示順位、標準時間、最短時間、画面採用優先順位、時間配
分優先順位）を複製し（Ｓ２００３）、緊急画面の放映状態を「未放映」とする（Ｓ２０
０４）。
【００４４】
図２１は、緊急画面テーブルの例を示す図である。緊急画面毎にレコードを設け、画面
ＩＤ２１０１、画面名２１０２、表示順位２１０３、標準時間２１０４、最短時間２１０
５、画面採用優先順位２１０６、及び時間配分優先順位２１０７の項目を対応付けて記憶
するように構成されている。
【００４５】
図９の放送用番組構成情報の例で、画面ＩＤＳ００２の全国予想気温画面を放映中に緊
急情報（種別：警報・注意報）の通知を受けた場合の再編用テーブル（例１）を図２２に
示す。パターンを付した部分は、実際には使用されないデータを示している。この部分の
複製は省略しても構わない。
【００４６】
そして、「放映中」の画面が、最短時間を過ぎている場合に、最短時間を調整する最短
時刻更新処理（Ｓ２００５）を行なう。例えば、画面ＩＤＳ００２の放映を開始して５秒
の時点では、当該画面を１０秒で打ち切ることができるので、最短時間は１０秒のままで
よいが、１０秒以上例えば１１秒経過している場合には、再編に伴う処理時間（例えば２
秒）を考慮して、最も早くても１３秒で打ち切ることしかできない。このように、再編時
刻が最短時間を越える場合には、最短時間を見直す必要が生じる。最短時刻更新処理（Ｓ
２００５）では、この点を修正する。
【００４７】
図２３は、最短時刻更新処理フローを示す図である。現在時刻に所定余裕時間（再編に
伴う最大処理時間以上）を加えて、再編時刻を算出する（Ｓ２３０１）。例えば、現在時
刻が７時２５分２７秒であれば、２秒を加えて７時２５分２９秒を再編時刻とする。次に
、再編時刻における放映中画面の放映経過時間（再編時放映経過時間）を算出する（Ｓ２
３０２）。具体的には、まず番組の放送開始時刻に、放映完了の画面の配分時間を加算し
て、放映中画面の放映開始時刻を算出する。Ｐ００２「今朝の天気」は、７時２５分００
秒に開始されるので、「放映完了」である画面ＩＤＳ００１の配分時間１６秒を加えて、
「放映中」である画面ＩＤＳ００２の放映開始時刻を７時２５分１６秒とする。次に、再
編時刻から放映中画面の放映開始時刻を差し引いて、再編時放映経過時間とする。再編時
刻７時２５分２９秒から放映開始時刻７時２５分１６秒を差し引いて、再編時放映経過時
間１３秒を得る。そして、この再編時放映経過時間が放映中画面の最短時間を越えている
か判定し（Ｓ２３０３）、越えている場合には最短時間を（標準時間を越えない範囲で）
再編時放映経過時間に書き換える（Ｓ２３０４）。つまり、再編時放映経過時間を当該「
放映中」画面の最短時間に書き込む。但し、再編時放映経過時間が標準時間を越える場合
には、標準時間を最短時間に書き込む。画面ＩＤＳ００２の場合、再編時放映経過時間１
３秒は最短時間１０秒を越えているが、標準時間１４秒を越えていないので、最短時間を
１３秒に書き換える。図２４に、その再編用テーブル（例２）を示す。
【００４８】
図１９の再編用テーブル生成処理（Ｓ１９０１）を終えると、採用する画面を確定させ
る処理に移る。まず、再編用テーブルに含まれるすべての画面を番組中に含めることがで
きるかを判定する全画面採用判定処理（Ｓ１９０２）を行なう。すべて番組に含めること
ができると判定した場合（採用画面確定）には、処理を終了する。含めることができない
と判定した場合（採用画面不確定）には、次の処理に移行する（Ｓ１９０３）。
【００４９】
１画面省略判定処理（Ｓ１９０４）では、緊急情報に係る画面を除き「未放映」の画面
のうちいずれか一つの画面を省略して番組中に含めることができるかを判定する。含める
ことができる場合には、再編用テーブルから省略する一つの画面制御情報を削除し、採用
画面確定として処理を終了する（Ｓ１９０５）。
【００５０】
同様に、２画面省略判定処理（Ｓ１９０６）では、いずれか一つの画面を省略して番組
中に含めることができるか、３画面省略判定処理（Ｓ１９０８）ではいずれか一つの画面
を省略して番組中に含めることができるか判定する。
【００５１】
全画面採用判定処理（Ｓ１９０２）について説明する。図２５は、全画面採用判定処理
フローを示す図である。再編用テーブルに含まれる「放映完了」の画面の配分時間と、「
放映中」の画面の最短時間と、「未放映」の画面の最短時間をすべて合計し、最短合計時
間を算出する（Ｓ２５０１）。そして、番組の放送時間と比較する（Ｓ２５０２）。最短
合計時間が番組の放送時間以下の場合には、すべて番組中に収まるので、採用画面確定と
する（Ｓ２５０３）。一方、短合計時間が番組の放送時間を越える場合には、採用画面不
確定とする（Ｓ２５０４）。
【００５２】
１画面省略判定処理（Ｓ１９０４）と２画面省略判定処理（Ｓ１９０６）については、
それぞれ図３４と図３７を用いて後述する。
【００５３】
このようにして、採用する画面が決定すると、図１８の通り時間配分処理（Ｓ１８０３
）を行なう。図２６は、時間配分処理フローを示す図である。まず、各画面について、最
短時間を割り当てる最短時間割当処理（Ｓ２６０１）を行なう。
【００５４】
図２７は、最短時間割当処理フローを示す図である。「放映中」の画面の配分時間に、
当該画面の最短時間を書き込み（Ｓ２７０１）、更に「未放映」の画面の配分時間に、当
該画面の最短時間を書き込む（Ｓ２７０２）。尚、「放映完了」の画面については、調整
の対象とならないのでそのままの配分時間とする。
【００５５】
図２２に示した再編用テーブル（例１）は、最短時間割当処理（Ｓ２６０１）により図
２８の再編用テーブル（例３）のようになり、図２４に示した再編用テーブル（例２）は
、最短時間割当処理（Ｓ２６０１）により図２９の再編用テーブル（例４）のようになる
。
【００５６】
図３０は、余剰時間分配処理フローを示す図である。まず、再編用テーブルの現状にお
ける配分時間の合計を算出する（Ｓ３００１）。そして、番組の放送時間から配分時間合
計を差し引いて、余剰時間を算出する（Ｓ３００２）。余剰時間が０の場合には処理を終
了する。図２９の例４の場合には、丁度６０秒なので余剰時間はなく、そのまま終了する
。
【００５７】
一方、余剰時間が０より大きい場合には（Ｓ３００３）、「放映中」の画面と「未放映
」の画面のうち、時間配分優先順位の高い順に画面を選択して以下の処理を行なう（Ｓ３
００４）。まず、当該画面の標準時間から最短時間を差し引いて、最大分配時間を求める
（Ｓ３００５）。図２８の例３の場合には、余剰時間が３秒となるので、画面ＩＤ：Ｓ０
０２〜Ｓ１０１のうち時間配分優先順位の最も高い（順位の値が最も小さい）画面ＩＤ：
Ｓ１０１を選択し、画面ＩＤＳ１０１の標準時間８秒から最短時間７秒を差し引いて、最
大分配時間１秒を求める。次に、余剰時間と最大分配時間を比較し（Ｓ３００６）、最大
分配時間が余剰時間以下であれば、当該画面の配分時間に最大分配時間を加え（Ｓ３００
７）、最大分配時間が余剰時間よりも大きければ、当該画面の配分時間に余剰時間を加え
る（Ｓ３００８）。画面ＩＤ：Ｓ１０１の最大分配時間１秒は、余剰時間３秒以下なので
、最大分配時間１秒を配分時間に加え８秒とする。この例では、Ｓ３００１からの処理を
繰り返し、画面ＩＤ：Ｓ１０１の次に時間配分優先順位の高い画面ＩＤ：Ｓ００２につい
て余剰時間２秒を加えて、図３１に示す再編用テーブル（例５）のようになる。
【００５８】
このようにして時間配分が完了すると、図１８の通り放送用番組構成情報更新処理（Ｓ
１８０４）を行なう。
【００５９】
図３２は、放送用番組構成情報更新処理フローを示す図である。まず、放送用番組構成
情報記憶部をクリアし（Ｓ３２０１）、再編用テーブルに含まれる「放映完了」の画面の
放送用画面制御情報（画面ＩＤ、画面名、配分時間、放送状態）を書き込む（Ｓ３２０２
）。次に、同じく再編用テーブルに含まれる「放映中」の画面の放送用画面制御情報（画
面ＩＤ、画面名、配分時間、放送状態）を書き込み（Ｓ３２０３）、最後に、同じく再編
用テーブルに含まれる「未放映」の画面の放送用画面制御情報（画面ＩＤ、画面名、配分
時間、放送状態）を、表示順位の順（値の小さい順）に書き込む（Ｓ３２０４）。図３３
は、図３１の再編用テーブル（例５）により更新された放送用番組構成情報記憶部の例を
示す。画面ＩＤ：Ｓ００３〜Ｓ００４よりも表示順位の高い画面ＩＤ：Ｓ１０１が先に放
映される順序となっている。
【００６０】
ここで、前述の１画面省略判定処理（Ｓ１９０４）と２画面省略判定処理（Ｓ１９０６
）について説明する。
【００６１】
図３４は、１画面省略判定処理フローを示す図である。「未放映」の画面のうち、画面
採用優先順位の低い順（値の大きい順）に一つの省略画面を選択する（Ｓ３４０１）。そ
して、「放映完了」の画面の配分時間と、「放映中」の画面の最短時間と、省略画面を除
く「未放映」の画面の配分時間を合計し、最短合計時間を算出する（Ｓ３４０２）。番組
の放送時間と最短合計時間を比較し（Ｓ３４０３）、最短合計時間が番組の放送時間以下
の場合には、放送時間内に収まるのでその省略画面の画面制御情報を削除して（Ｓ３４０
６）、それ以下の画面制御情報を繰り上げる。そして、採用画面確定とする（Ｓ３４０７
）。最短合計時間が番組の放送時間を越える場合には、放送時間内に収まらないので、次
に採用優先順位の低い画面を省略画面に選択して同様の処理を繰り返す。いずれの「未放
映」の画面でも最短合計時間が番組の放送時間以下にならない場合には（Ｓ３４０４）、
採用画面不確定とする（Ｓ３４０５）
図３５は、地震情報が発生した場合の再編用テーブル（例６）を示している。この例で
は、全画面採用判定（Ｓ１９０２）で最短合計時間６３秒が、番組の放送時間６０秒を越
えるので、１画面省略判定処理（Ｓ１９０４）に移り、画面採用優先順位が最も低い画面
ＩＤ：Ｓ００５を省略として、最短合計時間が５６秒となり同画面を削除する。そして、
残余時間４秒を時間配分優先順位の最も高い画面ＩＤ：Ｓ１０２に分配する。その様子を
図３６の再編用テーブル（例７）に示す。
【００６２】
２画面省略判定処理では、２画面の組み合わせについて同様に処理する。図３７は、２
画面省略判定処理フローを示す図である。「未放映」の二つの画面の組み合わせうち、画
面採用優先順位の合計の低い順に省略画面の組を選択し（Ｓ３７０１）、「放映完了」の
画面の配分時間と、「放映中」の画面の最短時間と、省略画面を除く「未放映」の画面の
配分時間を合計し、最短合計時間を算出する（Ｓ３７０２）。番組の放送時間と最短合計
時間を比較し（Ｓ３７０３）、最短合計時間が放送時間以下であれば、組み合わされた両
省略画面の画面制御情報を削除して（Ｓ３７０６）、残りの画面制御情報を繰り上げ、採
用画面確定とする（Ｓ３７０７）。すべての「未放映」の画面の組み合わせについて処理
しても（Ｓ３７０４）、最短合計時間が放送時間以下とならなければ、採用画面不確定と
する（Ｓ３７０５）。
【００６３】
３画面省略判定処理（Ｓ１９０８）等でも、組み合わせる画面数が異なるが、その点を
除き同様に処理する。
【００６４】
番組映像提供装置１０１は、コンピュータであり、各要素はプログラムにより処理を実
行することができる。また、プログラムを記憶媒体に記憶させ、記憶媒体からコンピュー
タに読み取られるようにすることができる。
【００６５】
コンピュータのハードウェアの構成について説明する。図３８は、ハードウェアの構成
を示す図である。バスに、演算装置３８０１、データ記憶装置３８０２、メモリ３８０３
、通信インターフェース３８０４が接続されている。データ記憶装置３８０２は、例えば
ＲＯＭ（Ｒｅａｄ  Ｏｎｌｙ  Ｍｅｍｏｒｙ）やハードディスクである。メモリ３８０３
は、通常ＲＡＭ（Ｒａｎｄｏｍ  Ａｃｃｅｓｓ  Ｍｅｍｏｒｙ）である。プログラムは、
通常データ記憶装置３８０２に記憶されており、メモリ３８０３にロードされた状態で、
順次演算装置３８０１に読み込まれ処理を行う。通信インターフェース３８０４は、通信
網を介した通信及びミキサー装置との通信に用いる。他に、操作に伴う入力装置及び出力
装置を有している。
【図面の簡単な説明】
【００６６】
【図１】放送局施設の構成を示す図である。
【図２】番組映像提供装置の構成を示す図である。
【図３】気象情報収集処理フローを示す図である。
【図４】気象情報データベースの構成を示す図である。
【図５】番組スケジュールマスタの例を示す図である。
【図６】番組スケジュール実行部の構成を示す図である。
【図７】番組スケジュール実行処理フローを示す図である。
【図８】標準番組構成情報記憶部の例を示す図である。
【図９】放送用番組構成情報記憶部の例を示す図である。
【図１０】番組映像生成処理フローを示す図である。
【図１１】画面展開処理フローを示す図である。
【図１２】画面定義テーブルの例を示す図である。
【図１３】下絵画像データ管理テーブルの例を示す図である。
【図１４】下絵画像の例を示す図である。
【図１５】全国天気予報テーブルの例を示す図である。
【図１６】天気マーク画像データ管理テーブルの例を示す図である。
【図１７】表示画像の展開後の画像を示す図である。
【図１８】放送中番組再編処理フローを示す図である。
【図１９】採用画面判定処理フローを示す図である。
【図２０】再編用テーブル生成処理フローを示す図である。
【図２１】緊急画面テーブルの例を示す図である。
【図２２】再編用テーブルの例１を示す図である。
【図２３】最短時刻更新処理フローを示す図である。
【図２４】再編用テーブルの例２を示す図である。
【図２５】全画面採用判定処理フローを示す図である。
【図２６】時間配分処理フローを示す図である。
【図２７】最短時間割当処理フローを示す図である。
【図２８】再編用テーブルの例３を示す図である。
【図２９】再編用テーブルの例４を示す図である。
【図３０】余剰時間分配処理フローを示す図である。
【図３１】再編用テーブルの例５を示す図である。
【図３２】放送用番組構成情報更新処理フローを示す図である。
【図３３】放送用番組構成情報記憶部の例を示す図である。
【図３４】１画面省略判定処理フローを示す図である。
【図３５】再編用テーブルの例６を示す図である。
【図３６】再編用テーブルの例７を示す図である。
【図３７】２画面省略判定処理フローを示す図である。
【図３８】ハードウェア構成を示す図である。
【符号の説明】
【００６７】
１０１  番組映像提供装置、１０２  気象情報配信サーバ、１０３  ミキサー装置、１
０４  音声入力装置、１０５  放送システム、２０１  気象情報収集部、２０２  気象情
報データベース、２０３  番組スケジュール実行部、２０４  番組スケジュールマスタ記
憶部、４０１  全国天気予報テーブル、４０２  全国予想気温テーブル、４０３  地方天
気予報テーブル、４０４  地方予想気温テーブル、４０５  週間天気予報テーブル、４５
１  県内警報・注意報テーブル、４５２  地震情報テーブル、４５３  津波情報テーブル
、４５４  台風情報テーブル、４５５  雷情報テーブル、６０１  番組放送準備開始判定
部、６０２  放送前番組編成部、６０３  標準番組構成情報記憶部、６０４  放送用番組
構成情報記憶部、６０５  放送中番組再編部、６０６  緊急画面テーブル、６０７  番組
映像生成部、６０８  画面定義テーブル、６０９  表示要素データベース。
【図１】
2008022290.tif 000003
【図２】
2008022290.tif 000004
【図３】
2008022290.tif 000005
【図４】
2008022290.tif 000006
【図５】
2008022290.tif 000007
【図６】
2008022290.tif 000008
【図７】
2008022290.tif 000009
【図８】
2008022290.tif 000010
【図９】
2008022290.tif 000011
【図１０】
2008022290.tif 000012
【図１１】
2008022290.tif 000013
【図１２】
2008022290.tif 000014
【図１３】
2008022290.tif 000015
【図１４】
2008022290.tif 000016
【図１５】
2008022290.tif 000017
【図１６】
2008022290.tif 000018
【図１７】
2008022290.tif 000019
【図１８】
2008022290.tif 000020
【図１９】
2008022290.tif 000021
【図２０】
2008022290.tif 000022
【図２１】
2008022290.tif 000023
【図２２】
2008022290.tif 000024
【図２３】
2008022290.tif 000025
【図２４】
2008022290.tif 000026
【図２５】
2008022290.tif 000027
【図２６】
2008022290.tif 000028
【図２７】
2008022290.tif 000029
【図２８】
2008022290.tif 000030
【図２９】
2008022290.tif 000031
【図３０】
2008022290.tif 000032
【図３１】
2008022290.tif 000033
【図３２】
2008022290.tif 000034
【図３３】
2008022290.tif 000035
【図３４】
2008022290.tif 000036
【図３５】
2008022290.tif 000037
【図３６】
2008022290.tif 000038
【図３７】
2008022290.tif 000039
【図３８】
2008022290.tif 000040